(57)【特許請求の範囲】
【請求項１】
所定エリアにおける状態の変化を監視する監視システムにおいて、
所定のエリアの撮像を行う撮像手段と、
前記撮像手段によって撮像された画像に基づいて前記所定エリアの状態の変化を検知する検知手段と、
前記検知手段によって前記所定エリアの状態の変化が検知された場合に、前記撮像手段によって撮像された画像を送信する送信手段と、
前記送信手段によって画像を送信した後は、前記検知手段によって検知された所定エリアの状態の変化が終了するまで、前記送信手段による画像の送信を禁止する禁止手段と、を有する監視システム。
【請求項２】
所定エリアにおける状態の変化を監視する監視システムにおいて、
所定のエリアの撮像を行う撮像手段と、
前記撮像手段によって撮像された画像に基づいて前記所定エリアの状態の変化を検知する検知手段と、
前記検知手段によって前記所定エリアの状態の変化が検知されたときに、前記所定エリアの状態の変化が所定時間内に終了した場合には前記撮像手段によって撮像された画像を送信せず、前記所定エリアの状態の変化が所定時間以上継続した場合には前記撮像手段によって撮像された画像を送信する送信手段と、
前記送信手段によって画像を送信した後は、前記検知手段によって検知された所定エリアの状態の変化が終了するまで、前記送信手段による画像の送信を禁止する禁止手段と、を有する監視システム。
【請求項３】
請求項１または請求項２に記載の監視システムにおいて、
前記撮像手段が撮像可能な範囲のうち、前記所定のエリアの指定を受け付ける手段を更に有する監視システム。
【請求項４】
請求項１、請求項２または請求項３のいずれか１項に記載の監視システムにおいて、
前記送信手段は、送信する画像の画像ファイルが添付された電子メールを、コンピュータ・ネットワークを介して所定の携帯電話に送信するものである監視システム。
【発明の詳細な説明】
【０００１】
【発明の属する技術分野】
本発明は、監視システムに関し、さらに詳細には、所定の監視領域における状態の変化を監視するための監視システムに関する。
【０００２】
【従来の技術】
従来より、所定の監視領域（以下、「エリア」と称する。）における状態の変化、例えば、託児所などにおける児童の様子（動きの変化）を監視するために、カメラにより撮像した託児所内の画像をインターネットを介して保護者のパーソナル・コンピュータ（ＰＣ）へ送信し、保護者が児童の様子を監視することを可能にした監視システムが提案されている。
【０００３】
しかしながら、上記したような従来の監視システムにおいては、カメラが撮像した画像がＰＣに常時送信されてしまい、所望のタイミングで画像を送信することができないという問題点があった。
【０００４】
また、従来の監視システムにおいては、画像の送信先はＰＣに限られており、各種の端末、例えば、携帯電話に画像を送信することができないという問題点があった。
【０００５】
【発明が解決しようとする課題】
本発明は、上記したような従来の技術の有する問題点に鑑みてなされたものであり、その目的とするところは、所定のエリアの画像を所定のタイミングで所定の端末に送信することができるようにした監視システムを提供しようとするものである。
【０００６】
また、本発明の目的とするところは、所定のエリアの状態の変化が極短時間の変化である場合には画像の送信を行わないようにしたり、あるいは、所定エリアの状態の一連変化による同様な画像の送信が回避できるようにした監視システムを提供しようとするものである。
【０００７】
また、本発明の目的とするところは、所定のエリアの画像を所定のタイミングで携帯電話に送信することができるようにした監視システムを提供しようとするものである。
【０００８】
【課題を解決するための手段】
上記目的を達成するために、本発明のうち請求項１に記載の発明は、所定エリアにおける状態の変化を監視する監視システムにおいて、所定のエリアの撮像を行う撮像手段と、上記撮像手段によって撮像された画像に基づいて上記所定エリアの状態の変化を検知する検知手段と、上記検知手段によって上記所定エリアの状態の変化が検知されたときに、上記所定エリアの状態の変化が所定時間内に終了した場合には上記撮像手段によって撮像された画像を送信せず、上記所定エリアの状態の変化が所定時間以上継続した場合には上記撮像手段によって撮像された画像を送信する送信手段とを有するようにしたものである。
【０００９】
従って、本発明のうち請求項１に記載の発明によれば、検知手段によって上記所定エリアの状態の変化が検知され、その検知された所定エリアの状態の変化が所定時間以上継続した場合に送信手段によって画像が送信されるので、所定のエリアの画像を所定のタイミングで設定された各種端末に送信することができる。このため、所定エリアの状態の変化であっても所定時間以上継続しない変化、例えば、飛行物（落ち葉など）の落下のような極短時間の変化の場合には画像の送信を行わないようにできる。
【００１０】
また、本発明のうち請求項２に記載の発明は、所定エリアにおける状態の変化を監視する監視システムにおいて、所定のエリアの撮像を行う撮像手段と、上記撮像手段によって撮像された画像に基づいて上記所定エリアの状態の変化を検知する検知手段と、上記検知手段によって上記所定エリアの状態の変化が検知された場合に、上記撮像手段によって撮像された画像を送信する送信手段と、上記送信手段によって画像を送信した後は、上記検知手段によって検知された所定エリアの状態の変化が終了するまで上記送信手段による画像の送信を禁止する禁止手段とを有するようにしたものである。
【００１１】
従って、本発明のうち請求項２に記載の発明によれば、禁止手段によって送信手段によって画像を送信した後は、検知手段によって検知された所定エリアの状態の変化が終了するまでは送信手段による画像の送信が禁止されるので、所定エリアの状態の一連変化による同様な画像の送信を回避することができる。
【００１２】
また、本発明のうち請求項３に記載の発明のように、所定エリアにおける状態の変化を監視する監視システムにおいて、所定のエリアの撮像を行う撮像手段と、上記撮像手段によって撮像された画像に基づいて上記所定エリアの状態の変化を検知する検知手段と、上記検知手段によって上記所定エリアの状態の変化が検知されたときに、上記所定エリアの状態の変化が所定時間内に終了した場合には上記撮像手段によって撮像された画像を送信せず、上記所定エリアの状態の変化が所定時間以上継続した場合には上記撮像手段によって撮像された画像を送信する送信手段と、上記送信手段によって画像を送信した後は、上記検知手段によって検知された所定エリアの状態の変化が終了するまで、上記送信手段による画像の送信を禁止する禁止手段とを有するようにしてもよい。
【００１３】
また、本発明の請求項４に記載の発明のように、請求項１、請求項２または請求項３のいずれか１項に記載の発明において、前記送信手段は、送信する画像の画像ファイルが添付された電子メールを、コンピュータ・ネットワークを介して所定の携帯電話に送信するようにしてもよい。
【００１４】
このようにすると、送信する画像の画像ファイルが電子メールに添付され、その電子メールがコンピュータ・ネットワークを介して携帯電話に送信されるので、所定のエリアの画像を所定のタイミングで携帯電話に送信することができるようになる。
【００１５】
【発明の実施の形態】
以下、添付の図面を参照しながら、本発明による監視システムの実施の形態の一例を詳細に説明する。
【００１６】
図１には、本発明による監視システムの実施の形態の一例の全体の構成を表すブロック図が示されている。
【００１７】
この監視システム１０は、所定のエリアを撮像するカメラ２２（後述する）の制御を含む全体の動作を、中央処理装置（ＣＰＵ）１２を用いて制御するように構成されている。
【００１８】
そして、ＣＰＵ１２には、ＣＰＵ１２が実行するプログラムなどが格納されたリード・オンリ・メモリ（ＲＯＭ）１４と、ＣＰＵ１２によるプログラムの実行に必要な各種バッファやレジスタ、フラグなどが設定されたワーキング・エリアとしてのランダム・アクセス・メモリ（ＲＡＭ）１６と、時刻をカウントして現在時刻を示す時計１８と、所定の時間単位でリセットされるタイマー２０と、撮像を行うカメラ２２と、ネット・ワーク２００を介して外部の端末１００と通信するための通信装置２４と、ユーザー・インター・フェースとしての本体操作部１１とが接続されている。
【００１９】
ここで、カメラ２２は、固定的に配設されて所定のエリアの撮像を行い、当該所定のエリアの画像を示す画像情報を出力するものである。なお、カメラ２２の撮像は監視システム１０の動作中は継続されるようになされている。
【００２０】
そして、ＲＡＭ１６は、監視システム１０の動作モードを示す情報を記憶する動作モード記憶部１６ａと、後述する変化態様を記憶する変化態様記憶部１６ｂと、後述する変化割合を記憶する変化割合記憶部１６ｃと、後述する送信時刻情報を記憶する送信時刻記憶部１６ｄと、後述する送信周期情報を記憶する送信周期記憶部１６ｅと、後述する電話番号情報を記憶する電話番号記憶部１６ｆと、後述する送信先情報を記憶する送信先記憶部１６ｇと、カメラ２２から出力された画像情報ＮＤを記憶する画像記憶部１６ｈと、後述する変化前画像情報ＯＤを記憶する変化前画像記憶部１６ｉと、後述する検証用画像情報ＡＤを記憶する検証画像記憶部１６ｊとを備えている。
【００２１】
タイマー２０は、時間の計測を行い、送信周期記憶部１６ｅに記憶された送信周期情報の示す送信周期でリセットされるものである。
【００２２】
通信装置２４は、電子メールや各種情報をネット・ワーク２００を介して外部の端末１００に送信するとともに、各種情報を端末１００からネット・ワーク２００を介して受信するものである。
【００２３】
なお、この実施の形態においては、ネット・ワーク２００はインター・ネット網とする。
【００２４】
また、端末１００は携帯電話のみならず、ＰＣ、ＰＤＡ、ゲーム端末などの携帯電話以外の各種の端末とすることができる（図２に示す端末１００−１〜１００−３参照）。端末１００は、例えば、液晶表示装置（ＬＣＤ）により構成される表示装置１０２と、ペンやマウス、キーボードなど操作者の所望の指示を入力するための入力装置１０４とを備えている。
【００２５】
そして、端末１００は、ネット・ワーク２００を介して監視システム１０から送信された各種情報を受信して、受信した各種情報に応じた内容を表示装置１０２の画面に表示することができるものである。
【００２６】
さらに、本体操作部１１の表示装置１１ａの画面の所定のエリアを、入力装置１１ｂによって選択したりすることなどにより、本体操作部１１を操作する操作者の所望の指示を入力することができるものである。
【００２７】
以上の構成において、本発明による監視システムを用いて所定のエリアの監視を行う場合の動作について説明する。
【００２８】
なお、以下においては、説明を簡略化して理解を容易にするために、託児所にいる児童の様子を保護者が監視する場合について説明する。
【００２９】
従って、監視システム１０は児童のいる託児所に配設され、端末１００（端末１００−１〜１００−３）は保護者の携帯電話等とする。そして、託児所に配設された監視システム１０と保護者の端末１００とは、ネット・ワーク２００を介して各種情報の送受信が可能なように予め設定されているものとする（図２参照）。
【００３０】
まず、本体操作部１１の表示装置１１ａたるタッチディスプレーにおける表示例を示す図３乃至図８を参照しながら、本体操作部１１における動作について、監視開始停止設定、監視範囲設定、動作モード設定ならびに送信先設定の順番で順次説明する。
【００３１】
（１）監視開始停止設定
監視システム１０に電源が投入されると、本体操作部１１の表示装置１１ａの画面には基本画面３０（図４参照）が表示される（図３における矢印Ａ参照）。
【００３２】
この基本画面３０は、画像表示欄３０ａと、監視範囲設定欄３０ｂと、モード設定欄３０ｃと、ＳＴＡＲＴ欄３０ｄと、ＳＴＯＰ欄３０ｅとからなるものである。
【００３３】
そして、画像表示欄３０ａには、画像情報に基づいて画像が表示される。この画像情報は、本体操作部１１に基本画面３０が表示されているときに監視システム１０のカメラ２２から出力され、本体操作部１１が受信した現在の画像情報である。
【００３４】
監視範囲設定欄３０ｂを本体操作部１１の操作者が入力装置１１ｂたるペンでタッチすると、後述する監視範囲設定処理の開始を選択することができる。モード設定欄３０ｃを入力装置１１ｂによりタッチすると、後述する動作モード設定処理の開始を選択することができる。
【００３５】
また、ＳＴＡＲＴ欄３０ｄを入力装置１１ｂによりタッチすると、監視システム１０による監視処理の開始を要求する情報が、本体操作部１１から監視システム１０に送信される。以下、この発明の実施の形態の項においては、「監視システム１０による監視処理の開始を要求する情報」を、単に「監視開始指示情報」と適宜に称する。
【００３６】
ＳＴＯＰ欄３０ｅを入力装置１１ｂによりタッチすると、監視システム１０による監視処理の停止を要求する情報が、本体操作部１１から監視システム１０に送信される。以下、この発明の実施の形態の項においては、「監視システム１０による監視処理の停止を要求する情報」を、単に「監視停止指示情報」と適宜に称する。
【００３７】
（２）監視範囲設定
基本画面３０（図４参照）において監視範囲設定欄３０ｂを入力装置１１ｂによりタッチすると、監視範囲設定処理の開始が選択されて、本体操作部１１の表示装置１１ａの画面には暗証番号入力ダイアログ４０（図５参照）が表示される（図３における矢印Ｂ参照）。
【００３８】
この暗証番号入力ダイアログ４０は、暗証番号欄４０ａと、テンキー欄４０ｂと、ＯＫ欄４０ｃと、キャンセル欄４０ｄとからなるものである。
【００３９】
テンキー欄４０ｂは入力ためのインター・フェースであり、所望の数値欄やＢＳ（ＢａｃｋＳｐａｓｅ）欄を入力装置１１ｂによりタッチすることにより、暗証番号を入力することができ、入力した暗証番号は暗証番号欄４０ａに表示される。
【００４０】
キャンセル欄４０ｄを入力装置１１ｂによりタッチすると、暗証番号欄４０ａに表示された数値を確定することなしに、暗証番号入力ダイアログ４０を閉じる。
【００４１】
そして、本体操作部１１の入力装置１１ｂやテンキー欄４０ｂにより暗証番号を入力して暗証番号欄４０ａに数値を表示させた後、ＯＫ欄４０ｃを入力装置１１ｂによりタッチすると、暗証番号欄４０ａに表示された数値が暗証番号として確定される。そして、この確定された数値からなる暗証番号を示す暗証番号情報が、本体操作部１１から監視システム１０に送信される。
【００４２】
暗証番号情報が監視システム１０に受信され、暗証番号情報が示す暗証番号と監視システム１０に記憶されていた暗証番号とが一致した場合には、本体操作部１１の表示装置１１ａの画面には監視範囲設定画面５０（図６参照）が表示される（図３における矢印Ｃ参照）。
【００４３】
一方、暗証番号情報が示す暗証番号と監視システム１０に記憶されていた暗証番号とが一致しない場合には、本体操作部１１の表示装置１１ａの画面には再び暗証番号入力ダイアログ４０が表示され、暗証番号の入力が再度必要となる（図３における矢印Ｄ参照）。
【００４４】
監視範囲設定画面５０（図６参照）は、範囲指定欄５０ａと、リセット欄５０ｂと、戻る欄５０ｃと、ＯＫ欄５０ｄと、キャンセル欄５０ｅとからなるものである。
【００４５】
範囲指定欄５０ａは、基本画面３０の画像表示欄３０ａと同様に現在の画像情報の示す画像が表示される。つまり、この画像情報は、本体操作部１１に監視範囲設定画面５０が表示されているときに監視システム１０のカメラ２２から出力され、本体操作部１１が受信した現在の画像情報である。
【００４６】
この範囲指定欄５０ａに表示された画面のうち、所望の範囲の輪郭線を入力装置１１ｂによりタッチしてなぞると、カメラ２２から出力される画像情報の示す画像の範囲、即ち、監視を行う監視エリア（図２参照）を選択することができる。
【００４７】
また、キャンセル欄５０ｅを入力装置１１ｂによりタッチすると、範囲指定欄５０ａにおいて選択した範囲を解除できる。
【００４８】
リセット欄５０ｂを入力装置１１ｂによりタッチすると、範囲指定欄５０ａにおいて選択された範囲を解除し、範囲指定欄５０ａに表示された画面の全ての範囲を選択することができる。
【００４９】
そして、範囲指定欄５０ａにおいて範囲を選択した後、ＯＫ欄５０ｄを入力装置１１ｂによりタッチすると、範囲指定欄５０ａにおいて選択された範囲が確定されて、本体操作部１１から監視エリアを示す監視エリア情報が送信される。その後、本体操作部１１の表示装置１１ａの画面は、監視範囲設定画面５０（図６参照）から基本画面３０（図４参照）に切り換わる（図３における矢印Ｅ参照）。
【００５０】
ここで、本体操作部１１から送信された監視エリア情報は、監視システム１０のＲＡＭ１６の所定のエリアに記憶される。
【００５１】
一方、範囲指定欄５０ａにおいて範囲を選択した後、戻る欄５０ｃを入力装置１１ｂによりタッチすると、範囲指定欄５０ａにおいて選択された範囲は確定されない。つまり、従前の設定内容が維持されて変更されない。そして、本体操作部１１の表示装置１１ａの画面は、監視範囲設定画面５０（図６参照）から基本画面３０（図４参照）に切り換わる（図３における矢印Ｆ参照）。
【００５２】
（３）動作モード設定
基本画面３０（図４参照）においてモード設定欄３０ｃを入力装置１１ｂによりタッチすると、動作モード設定処理の開始が選択されて、本体操作部１１の表示装置１１ａの画面には暗証番号入力ダイアログ４０（図５参照）が表示される（図３における矢印Ｇ参照）。
【００５３】
そして、上記（２）監視範囲設定と同様にして、本体操作部１１の入力装置１１ｂやテンキー欄４０ｂにより暗証番号を入力して暗証番号欄４０ａに数値を表示させた後、ＯＫ欄４０ｃを入力装置１１ｂによりタッチすると、暗証番号欄４０ａに表示された数値が暗証番号として確定される。そして、この確定された数値からなる暗証番号を示す暗証番号情報が、本体操作部１１から監視システム１０に送信される。
【００５４】
暗証番号情報が監視システム１０に受信され、暗証番号情報が示す暗証番号と監視システム１０に記憶されていた暗証番号とが一致した場合には、本体操作部１１の表示装置１１ａの画面にはモード設定画面６０（図７参照）が表示される（図３における矢印Ｈ参照）。
【００５５】
一方、暗証番号情報が示す暗証番号と監視システム１０に記憶されていた暗証番号とが一致しない場合には、本体操作部１１の表示装置１１ａの画面には再び暗証番号入力ダイアログ４０が表示され、暗証番号の入力が再度必要となる（図３における矢印Ｉ参照）。
【００５６】
モード設定画面６０は、変化点画像転送モード欄６０ａと、時間設定画像転送モード欄６０ｂと、リアルタイム画像転送モード欄６０ｃと、登録電話番号欄６０ｄと、テンキー欄６０ｅと、ＯＫ欄６０ｆと、キャンセル欄６０ｇと、送信先設定欄６０ｈとからなるものである。
【００５７】
テンキー欄６０ｅは、入力ためのインター・フェースであり、所望の数値欄やＢＳ（ＢａｃｋＳｐａｓｅ）欄を入力装置１１ｂによりタッチすることにより、後述する変化割合、送信時刻、送信周期ならびに登録電話番号をそれぞれ入力することができる。
【００５８】
キャンセル欄６０ｇを入力装置１１ｂによりタッチすると、各欄における設定を確定することなしに、本体操作部１１の表示装置１１ａの画面は、モード設定画面６０（図７参照）から基本画面３０（図４参照）に切り換わる（図３における矢印Ｋ参照）。
【００５９】
変化点画像転送モード欄６０ａを入力装置１１ｂによりタッチすると、監視システム１０の動作モードとして変化点画像転送モードを選択することができる。
【００６０】
そして、静→動欄６０ａ−１あるいは動→静欄６０ａ−２のいずれかを入力装置１１ｂによりタッチすると、監視エリアに応じた変化態様を設定することができる。
【００６１】
ここで、静→動欄６０ａ−１を選択することにより、動きの少ない静止状態から動きが生じる変化を監視するように設定することができる。こうした変化態様は、例えば、監視システム１０が倉庫や住宅の玄関などに配設され、通常人気のない場所に人が現れたことを監視したい場合などに好適である。
【００６２】
一方、動→静欄６０ａ−２を選択することにより、動きが生じている動作状態から動きが少なくなる変化を監視するように設定することができる。こうした変化態様は、例えば、監視システム１０が工場の生産ラインなどに配設され、通常一定の動作が連続している場所においてその動作が停止したことを監視したい場合などに好適である。
【００６３】
また、変化割合欄６０ａ−３に表示される所望の数値は、リストボックスにより５％刻みで選択設定可能となされている。例えば、変化割合欄６０ａ−３に２０％と表示された場合（図７に示す状態）は、変化割合の閾値を２０％として、それ以上の変化割合の場合に変化として検出するものである。そして、この変化割合欄６０ａ−３に表示される数値を小さくしていくのに従い、より小さな変化を検知することが可能になる。
【００６４】
なお、変化割合欄６０ａ−３に表示される数値は、リストボックスにより５％刻みとなされているが、これに限られるものではないことは勿論であり、例えば、変化割合欄６０ａ−３に所望の数値を入力して表示させるようにし、ユーザーが任意に設定するようにしてもよい。
【００６５】
こうして変化点画像転送モード欄６０ａを選択し、静→動欄６０ａ−１あるいは動→静欄６０ａ−２のいずれかを選択し、変化割合欄６０ａ−３に所望の数値を入力して表示させた後、ＯＫ欄６０ｆを入力装置１１ｂによりタッチすると、変化点画像転送モード欄６０ａにおいて設定された内容が確定されて、本体操作部１１から変化点画像転送モードに関する情報が送信される。その後、本体操作部１１の表示装置１１ａの画面は、モード設定画面６０（図７参照）から基本画面３０（図４参照）に切り換わる（図３における矢印Ｊ参照）。
【００６６】
そして、本体操作部１１から送信された変化点画像転送モードに関する情報は、監視システム１０に受信され、監視システム１０のＲＡＭ１６の対応する所定のエリアに記憶される。
【００６７】
例えば、監視システム１０が託児所に配設されているので、変化点画像転送モード欄６０ａを選択し、静→動欄６０ａ−１を選択し、変化割合欄６０ａ−３に２０％を入力して表示させる（図７に示す状態）。
【００６８】
この場合には、監視システム１０のＲＡＭ１６の動作モード記憶部１６ａには、変化点画像転送モードを示す情報が記憶され、変化態様記憶部１６ｂには、動きの少ない静止状態から動きが生じる変化を示す情報が記憶され、変化割合記憶部１６ｃには、変化割合の閾値が２０％であることを示す情報が記憶される。
【００６９】
時間設定画像転送モード欄６０ｂを入力装置１１ｂによりタッチすると、監視システム１０の動作モードとして時間設定画像転送モードを選択することができる。
【００７０】
ここで、定時送信欄６０ｂ−１を入力装置１１ｂによりタッチすると、所定の送信時刻で端末１００に電子メールを送信するように設定できる。そして、送信時刻欄６０ｂ−３に所望の数値を入力して表示させると、電子メールを送信する送信時刻を設定できる。
【００７１】
一方、時間送信欄６０ｂ−２を入力装置１１ｂによりタッチすると、所定の送信周期で端末１００に電子メールを送信するように設定できる。そして、送信時刻欄６０ｂ−３に所望の数値を入力して表示させると、電子メールを送信する送信時刻を設定できる。
【００７２】
こうして時間設定画像転送モード欄６０ｂを選択し、定時送信欄６０ｂ−１あるいは時間送信欄６０ｂ−２のいずれかを選択し、送信時刻欄６０ｂ−３あるいは送信周期欄６０ｂ−４に所望の数値を入力して表示させた後、ＯＫ欄６０ｆを入力装置１１ｂによりタッチすると、時間設定画像転送モード欄６０ｂにおいて選択された内容が確定されて、本体操作部１１から時間設定転送モードに関する情報が送信される。その後、本体操作部１１の表示装置１１ａの画面は、モード設定画面６０（図７参照）から基本画面３０（図４参照）に切り換わる（図３における矢印Ｊ参照）。
【００７３】
そして、本体操作部１１から送信された時間設定転送モードに関する情報は、監視システム１０に受信され、監視システム１０のＲＡＭ１６の対応する所定のエリアに記憶される。
【００７４】
例えば、時間設定画像転送モード欄６０ｂを選択し、定時送信欄６０ｂ−１を選択し、時間送信欄６０ｂ−２に所望の数値を入力して表示させる。この場合には、監視システム１０のＲＡＭ１６の動作モード記憶部１６ａには、時間設定画像転送モードを示す情報が記憶され、送信時刻記憶部１６ｄには送信時刻を示す送信時刻情報が記憶される。
【００７５】
また、時間設定画像転送モード欄６０ｂを選択し、時間送信欄６０ｂ−２を選択し、送信周期欄６０ｂ−４に所望の数値を入力して表示させる。この場合には、監視システム１０のＲＡＭ１６の動作モード記憶部１６ａには、時間設定画像転送モードを示す情報が記憶され、送信周期記憶部１６ｅには送信周期を示す送信時刻情報が記憶される。
【００７６】
リアルタイム画像転送モード欄６０ｃを入力装置１１ｂによりタッチすると、監視システム１０の動作モードとしてリアルタイム画像転送モードを選択することができる。
【００７７】
具体的には、リアルタイム画像転送モード欄６０ｃを選択した後、ＯＫ欄６０ｆを入力装置１１ｂによりタッチすると、リアルタイム画像転送モード欄６０ｃの選択が確定されて、本体操作部１１からリアルタイム画像転送モードに関する情報が送信される。その後、本体操作部１１の表示装置１１ａの画面は、モード設定画面６０（図７参照）から基本画面３０（図４参照）に切り換わる（図３における矢印Ｊ参照）。
【００７８】
そして、本体操作部１１から送信されたリアルタイム画像転送モードに関する情報は、監視システム１０に受信され、監視システム１０のＲＡＭ１６の動作モード記憶部１６ａには、リアルタイム画像転送モードを示す情報が記憶される。
【００７９】
また、登録電話番号欄６０ｄに端末１００の電話番号を入力して表示させた後、ＯＫ欄６０ｆを入力装置１１ｂによりタッチすると、登録電話番号欄６０ｄにおいて入力された数値が確定されて、端末１００の電話番号を示す電話番号情報が送信される。その後、本体操作部１１の表示装置１１ａの画面は、モード設定画面６０（図７参照）から基本画面３０（図４参照）に切り換わる（図３における矢印Ｊ参照）。
そして、本体操作部１１から送信された電話番号情報は、監視システム１０に受信され、監視システム１０のＲＡＭ１６の電話番号記憶部１６ｆに端末１００に対応付けられて記憶される。
【００８０】
送信先設定欄６０ｈを入力装置１１ｂによりタッチすると、後述する送信先設定処理の開始が選択される。
【００８１】
（４）送信先設定
モード設定画面６０（図７参照）において送信先設定欄６０ｈを入力装置１１ｂによりタッチすると、送信先設定処理の開始が選択されて、本体操作部１１の表示装置１１ａの画面には送信先設定画面７０（図８参照）が表示される（図３における矢印Ｌ参照）。
【００８２】
この送信先設定画面７０は、送信先一覧表欄７０ａと、暗証番号設定欄７０ｂと、テンキー欄７０ｃと、ＯＫ欄７０ｄと、キャンセル欄７０ｅとからなるものである。
【００８３】
テンキー欄７０ｃは、入力ためのインター・フェースであり、所望の数値欄やＢＳ（ＢａｃｋＳｐａｓｅ）欄を入力装置１１ｂによりタッチすることにより、後述する送信先や、旧暗証番号、新暗証番号をそれぞれ入力することができる。
【００８４】
キャンセル欄７０ｅを入力装置１１ｂによりタッチすると、各欄における設定を確定することなしに、本体操作部１１の表示装置１１ａの画面は、送信先設定画面７０（図８参照）からモード設定画面６０（図７参照）に切り換わる（図３における矢印Ｐ参照）。
【００８５】
送信先一覧表欄７０ａには、複数のアドレスを本体操作部１１の入力装置１１ｂにより入力して表示させることにより、監視システム１０から電子メールを送信する複数の送信先を設定することができる。なお、この送信先一覧表欄７０ａに表示させるアドレスは、各種端末のアドレスのみならず、所定の端末に電子メールを転送するための転送専用のアドレスなどとしてもよい。
【００８６】
そして、送信先一覧表欄７０ａに所望の送信先を設定した後、ＯＫ欄７０ｄを入力装置１１ｂによりタッチすると、送信先一覧表欄７０ａにおいて設定された送信先が確定されて、本体操作部１１から送信先に関する情報が送信される。その後、本体操作部１１の表示装置１１ａの画面は、送信先設定画面７０（図８参照）からモード設定画面６０（図７参照）に切り換わる（図３における矢印Ｍ参照）。
【００８７】
そして、本体操作部１１から送信された送信先に関する情報は、監視システム１０に受信され、監視システム１０のＲＡＭ１６の送信先記憶部１６ｇには、送信先を示す送信先情報が記憶される。
【００８８】
例えば、送信先一覧表欄７０ａの第１欄７０ａ−１にＰＤＡたる端末１００−１のアドレスを入力して表示させ、第２欄７０ａ−２に保護者の携帯電話たる端末１００−２のアドレスを入力して表示させ、第３欄７０ａ−３に保護者のＰＣたる端末１００−３のアドレスを入力して表示させた場合には、端末１００−１と端末１００−２ならびに端末１００−３の３つの端末が送信先として設定される（図２参照）。
【００８９】
暗証番号設定欄７０ｂには、所望の数値を本体操作部１１の入力装置１１ｂにより入力して表示させることにより、端末１００が監視システム１０へアクセスするための暗証番号の設定や変更をすることができる。
【００９０】
この際、旧暗証番号欄７０ｂ−１には、変更前の暗証番号の数値を入力して表示させる。なお、暗証番号の設定を始めて行う場合には、旧暗証番号欄７０ｂ−１に数値を入力して表示させる必要はない。新暗証番号欄７０ｂ−２には新たに暗証番号としたい数値を入力して表示させる。確認欄７０ｂ−３には、新暗証番号欄７０ｂ−２に表示された暗証番号と同一の数値を確認のために入力して表示させる。
【００９１】
こうして暗証番号設定欄７０ｂを選択し、旧暗証番号欄７０ｂ−１や、新暗証番号欄７０ｂ−２ならびに確認欄７０ｂ−３に数値を入力して表示させた後、ＯＫ欄７０ｄを入力装置１１ｂによりタッチすると、暗証番号設定欄７０ｂにおいて設定された数値が確定されて、本体操作部１１から暗証番号を示す暗証番号情報が送信される。その後、本体操作部１１の表示装置１１ａの画面は、送信先設定画面７０（図８参照）からモード設定画面６０（図７参照）に切り換わる（図３における矢印Ｍ参照）。
【００９２】
そして、本体操作部１１から送信された暗証番号情報は、監視システム１０に受信され、監視システム１０のＲＡＭ１６の所定のエリアに端末１００に対応付けられて記憶される。
【００９３】
なお、暗証番号設定欄７０ｂを選択し、旧暗証番号欄７０ｂ−１や、新暗証番号欄７０ｂ−２ならびに確認欄７０ｂ−３に入力して表示させた数値が不適当である場合、例えば、旧暗証番号欄７０ｂ−１に入力して表示させた変更前の暗証番号が間違っている場合などには、本体操作部１１の表示装置１１ａの画面は、再び送信先設定画面７０が表示され、再度の設定が必要となる（図３における矢印Ｎ参照）。
【００９４】
上記したようにして、本体操作部１１による各種設定が行われ、本体操作部１１から送信された監視開始指示情報が、監視システム１０に受信されると、監視システム１０において図９に示す監視処理ルーチンが起動される。
【００９５】
この監視処理ルーチンは、監視システム１０が本体操作部１１から送信された監視開始指示情報を受信すると起動され、その後、監視システム１０が本体操作部１１から送信された監視停止指示情報を受信するまで、監視システム１０において高速で繰り返される。
【００９６】
ここで、監視処理ルーチンによる処理の概要について説明すると、監視システム１０の動作モードが変化点画像転送モードである場合には、ステップＳ９０４〜ステップＳ９２８の処理が行われ、時間設定画像転送モードである場合には、ステップＳ９３０〜ステップＳ９３８の処理が行われ、リアルタイム画像転送モードである場合には、ステップＳ９４０〜ステップＳ９５０の処理が行われる。
【００９７】
この監視処理ルーチンにおいては、まず、ステップＳ９０２において、監視システム１０の動作モードを判断する処理を行う。具体的には、監視システム１０のＲＡＭ１６の動作モード記憶部１６ａに記憶されている情報が、変化点画像転送モードを示す情報、時間設定画像転送モードを示す情報ならびにリアルタイム画像転送モードを示す情報のいずれかであるかを判断する処理が行われる。
【００９８】
そして、動作モード記憶部１６ａに記憶されている情報が変化点画像転送モードを示す情報である場合、即ち、上記（３）動作モード設定において変化点画像転送モード欄６０ａが選択された場合には、動作モードは変化点画像転送モードであると判断されてステップＳ９０４の処理に進む。
【００９９】
一方、動作モード記憶部１６ａに記憶されている情報が時間設定画像転送モードを示す情報である場合、即ち、上記（３）動作モード設定において時間設定画像転送モード欄６０ｂが選択された場合には、動作モードは時間設定画像転送モードであると判断されてステップＳ９３０の処理に進む。
【０１００】
また、動作モード記憶部１６ａに記憶されている情報がリアルタイム画像転送モードを示す情報である場合、即ち、上記（３）動作モード設定においてリアルタイム画像転送モード欄６０ｃが選択された場合には、動作モードはリアルタイム画像転送モードであると判断されてステップＳ９４０の処理に進む。
【０１０１】
（Ｉ）監視システム１０の動作モードが変化点画像転送モードである場合
ステップＳ９０４においては、連続動作の検出中であるか否かを示すフラグである連続動作検出中フラグがオン（ＯＮ）であるか否かを判断する処理が行われる。具体的には、連続動作検出中フラグの値が０である場合にはオフと判断されて、ステップＳ９０６の処理に進む。一方、連続動作検出中フラグの値が１である場合にはオンと判断されて、ステップＳ９２２の処理に進む。
【０１０２】
ステップＳ９０６においては、監視システム１０のカメラ２２から出力された画像情報がＲＡＭ１６の画像記憶部１６ｈに記憶される（図１０（ａ）参照）。この際、カメラ２２が撮像するエリアは、上記（２）監視範囲設定において本体操作部１１から送信された監視エリア情報の示す監視エリア（図２参照）となされている。従って、画像記憶部１６ｈに記憶された画像情報ＮＤの示す画像は監視エリア内の画像である。例えば、児童のいる託児所の監視エリア内の画像を示す画像情報ＮＤとなる。
【０１０３】
そして、ステップＳ９０６の処理を終了すると、ステップＳ９０８に進み、ステップＳ９０６において画像記憶部１６ｈに記憶された画像情報ＮＤの示す画像と、変化前画像記憶部１６ｉに記憶された変化前画像情報ＯＤの示す変化前の画像との比較処理を行う。具体的には、変化前画像記憶部１６ｉに記憶された変化前画像情報ＯＤの示す変化前の画像に比べて画像記憶部１６ｈに記憶された画像情報ＮＤの示す画像が変化している割合が、変化割合記憶部１６ｃに記憶された変化割合の閾値以上であるか否かを判断する処理が行われる。
【０１０４】
ここで、変化前画像記憶部１６ｉに記憶された変化前画像情報ＯＤ（図１０（ｂ）参照）は、監視処理ルーチンの起動時においては、起動の際の各種設定によりカメラ２２が監視エリア情報の示す監視エリア内の撮像を行って出力した画像情報である。その際、変化態様記憶部１６ｂに記憶された情報と対応するようにしてカメラ２２の撮像がなされて変化前画像情報ＯＤが変化前画像記憶部１６ｉに記憶されている。
【０１０５】
つまり、変化態様記憶部１６ｂに動きの少ない静止状態から動きが生じる変化を示す情報が記憶されていた場合には、監視エリア内に動きの少ないときの画像を示す変化前画像情報ＯＤが記憶される。一方、変化態様記憶部１６ｂに動きが生じている動作状態から動きが少なくなる変化を示す情報が記憶されていた場合には、監視エリア内に動きが生じているときの画像を示す変化前画像情報ＯＤが記憶される。
【０１０６】
なお、この変化前画像記憶部１６ｉに記憶される変化前の画像を示す変化前画像情報ＯＤは、監視処理ルーチンが起動された後には、後述するステップＳ９２６の処理によって更新される。
【０１０７】
そして、変化前画像記憶部１６ｉに記憶された変化前画像情報ＯＤの示す変化前の画像に比べて画像記憶部１６ｈに記憶された画像情報ＮＤの示す画像が変化している割合が、変化割合記憶部１６ｃに記憶された変化割合の閾値未満であると判断された場合には、監視エリア内の状態に変化がないとして、ステップＳ９０２の処理に戻る。
【０１０８】
一方、変化前画像記憶部１６ｉに記憶された変化前画像情報ＯＤの示す変化前の画像に比べて画像記憶部１６ｈに記憶された画像情報ＮＤの示す画像が変化している割合が、変化割合記憶部１６ｃに記憶された変化割合の閾値以上であると判断された場合には、監視エリア内の状態に変化が生じたとして、ステップＳ９１０の処理に進む。
【０１０９】
例えば、上記（３）動作モード設定において図７に示すような設定がなされている場合には、変化前画像記憶部１６ｉに記憶された変化前画像情報ＯＤの示す変化前の画像とは、児童の姿がない託児所の監視エリア内を示す画像となる。そして、画像記憶部１６ｈに記憶された画像情報ＮＤの示す画像が児童の姿がある託児所の監視エリア内を示す画像であった場合には、変化前画像情報ＯＤの示す変化前の画像に比べて画像情報ＮＤの示す画像が変化した割合は変化割合の閾値２０％以上となる。こうして監視エリア内の状態変化が検知され、ステップＳ９１０の処理に進む。
【０１１０】
ステップＳ９１０においては、所定時間の待機処理が行われる。具体的には、ステップＳ９０６においてＲＡＭ１６の画像記憶部１６ｈに新たな画像情報ＮＤ（即ち、ステップＳ９０８において変化前画像情報ＯＤと比較された画像情報ＮＤ）が記憶された時刻から所定時間の待機がなされる。
【０１１１】
なお、待機する時間は、極短時間にのみ生起された状態変化を排除するための時間であり、例えば０．１秒〜０．５秒の任意の時間に設定可能なものである。こうした待機時間の設定は、監視システム１０の製造過程において工場出荷時に初期設定されるようにしてもよいし、あるいは、監視システム１０が配設される場所に応じてユーザーが設定するようにしてもよい。
【０１１２】
ステップＳ９１０の処理を終了すると、ステップＳ９１２の処理に進み、監視システム１０のカメラ２２から出力された画像情報がＲＡＭ１６の検証画像記憶部１６ｊに記憶される（図１０（ｃ）参照）。ここで、検証画像記憶部１６ｊに記憶された画像情報は、ステップＳ９０６においてＲＡＭ１６の画像記憶部１６ｈに新たに画像情報ＮＤが記憶されてからステップＳ９１０の待機時間経過後の画像情報であって検証用の検証用画像情報ＡＤとされる。
【０１１３】
ステップＳ９１２の処理に続いて、ステップＳ９１４に進み、ステップＳ９１２において検証画像記憶部１６ｊに記憶された検証用画像情報ＡＤの示す検証用の画像と、変化前画像記憶部１６ｉに記憶された変化前画像情報ＯＤの示す変化前の画像との比較処理を行う。具体的には、変化前画像記憶部１６ｉに記憶された変化前画像情報ＯＤの示す変化前の画像に比べて検証画像記憶部１６ｊに記憶された検証用画像情報ＡＤの示す画像が変化している割合が、変化割合記憶部１６ｃに記憶された変化割合の閾値以上であるか否かを判断する処理が行われる。
【０１１４】
そして、変化前画像記憶部１６ｉに記憶された変化前画像情報ＯＤの示す変化前の画像に比べて検証画像記憶部１６ｊに記憶された検証用画像情報ＡＤの示す画像が変化している割合が、変化割合記憶部１６ｃに記憶された変化割合の閾値未満であると判断された場合には、監視エリア内の状態に変化がないとして、ステップＳ９０２の処理に戻る。
【０１１５】
一方、変化前画像記憶部１６ｉに記憶された変化前画像情報ＯＤの示す変化前の画像に比べて検証画像記憶部１６ｊに記憶された検証用画像情報ＡＤの示す画像が変化している割合が、変化割合記憶部１６ｃに記憶された変化割合の閾値以上であると判断された場合には、監視エリア内の状態に変化が生じたとして、ステップＳ９１６の処理に進む。
【０１１６】
ここで、このステップＳ９１４の処理は、ステップＳ９０８の処理において監視エリア内の状態に変化が生じたと判断された場合になされるものである（ステップＳ９０８→ステップＳ９１０→ステップＳ９１２→ステップＳ９１４）。しかしながら、ステップＳ９０８において検知された監視エリア内の状態に変化が極短時間の変化である場合には、ステップＳ９１４の処理により監視エリア内の状態には変化がなかったものとみなされる（ステップＳ９１４→ステップＳ９０２）。
【０１１７】
例えば、ステップＳ９０８において検知された監視エリア内の状態に変化が、カメラ２２の前を飛行物（落ち葉など）が横切ったり、カメラ２２の外部環境の気象変化（雷の稲妻）であったりした場合には、そうした変化は極短時間の変化なので、ステップＳ９１０の待機時間内に終了してしまう。
【０１１８】
その結果、ステップＳ９１４の処理に用いられる検証用の検証用画像情報ＡＤの示す画像は、変化前画像情報ＯＤの示す変化前の画像から大きく変化したものにはならないことが多い。こうした検証用の検証用画像情報ＡＤを用いて、その状態変化は極短時間の変化であると判断し、極短時間の変化の場合には画像の送信を行われないようにできる。
【０１１９】
一方、ステップＳ９０８において検知された監視エリア内の状態に変化が極短時間の変化でない場合には、そうした変化はステップＳ９１０の待機時間以上継続して、ステップＳ９１４の処理の時点においても継続している。
【０１２０】
その結果、ステップＳ９１４の処理において用いられる検証用画像情報ＡＤの示す画像は、変化前画像情報ＯＤの示す変化前の画像から大きく変化したものになることが多い。こうした検証用の検証用画像情報ＡＤを用いて、その状態変化は極短時間の変化ではないと判断できる。
【０１２１】
ステップＳ９１６においては、ステップＳ９１４の処理により監視エリア内の状態変化が検証され、その状態変化が極短時間の変化ではないと判断されたので、連続動作の検出中であるか否かを示すフラグである連続動作検出中フラグがオンされる。即ち、連続動作検出中フラグの値が１になる。このステップＳ９１６の処理により連続動作検出中フラグがオンされ、連続動作の検出が開始されることになる。
【０１２２】
ステップＳ９１６の処理を終了すると、ステップＳ９１８の処理に進み、電子メールの送信準備処理がなされる。この際、ステップＳ９１２において検証画像記憶部１６ｊに記憶された検証用画像情報ＡＤの示す画像の画像ファイルが生成される。そして、生成された画像ファイルは画像ファイル添付処理により電子メールに添付される。
【０１２３】
ステップＳ９１８の処理に続いて、ステップＳ９２０の処理においては、ステップＳ９１８において生成された画像ファイルを添付された電子メールが、監視システム１０の通信装置２４から送信される。この際、監視システム１０から送信された電子メールは、ネット・ワーク２００を介して、送信先記憶部１６ｇに記憶された送信先情報の示す送信先の端末１００へ送信される。
【０１２４】
従って、監視エリア内の状態が変化した場合、しかもその状態変化が極短時間の変化ではない場合に、監視エリア内の画像が電子メールに添付されて端末１００に送信される。つまり、極短時間の変化で電子メールが送信されることはないので、送信の端末１００、特に携帯電話に膨大な電子メールが送信されるような事態を回避することができる。
【０１２５】
そして、送信先の端末１００においては、ネット・ワーク２００を介して監視システム１０から送信された電子メールを受信して、電子メールに添付された画像ファイルの示す画像を端末１００の表示装置１０２において視認することができる。
【０１２６】
例えば、上記（４）送信先設定において図８に示すような設定がなされている場合には、ステップＳ９１８の処理において、送信先一覧表欄７０ａの第１欄７０ａ−１に表示されたＰＤＡたる端末１００−１と、第２欄７０ａ−２に表示された保護者の携帯電話たる端末１００−２と、第３欄７０ａ−３に表示された保護者のＰＣたる端末１００−３との３つの端末に画像ファイルを添付された電子メールが送信される（図２参照）。
【０１２７】
一方、ステップＳ９０４において連続動作検出中フラグがオンであると判断された場合には、ステップＳ９２２の処理において、監視システム１０のカメラ２２から出力された画像情報がＲＡＭ１６の画像記憶部１６ｈに記憶される。この際、カメラ２２が撮像するエリアは監視エリア情報の示す監視エリアとなされている。従って、画像記憶部１６ｈに記憶された画像情報ＮＤの示す画像は監視エリア内の画像である。
【０１２８】
ステップＳ９２２の処理に続いて、ステップＳ９２４においては、ステップＳ９２２において画像記憶部１６ｈに記憶された画像情報ＮＤの示す画像と、変化前画像記憶部１６ｉに記憶された変化前画像情報ＯＤの示す変化前の画像との比較処理を行う。具体的には、変化前画像記憶部１６ｉに記憶された変化前画像情報ＯＤの示す変化前の画像に比べて画像記憶部１６ｈに記憶された画像情報ＮＤの示す画像が変化している割合が、変化割合記憶部１６ｃに記憶された変化割合の閾値以上であるか否かを判断する処理が行われる。
【０１２９】
そして、変化前画像記憶部１６ｉに記憶された変化前画像情報ＯＤの示す変化前の画像に比べて画像記憶部１６ｈに記憶された画像情報ＮＤの示す画像が変化している割合が、変化割合記憶部１６ｃに記憶された変化割合の閾値未満であると判断された場合には、ステップＳ９２６の処理に進む。
【０１３０】
一方、変化前画像記憶部１６ｉに記憶された変化前画像情報ＯＤの示す変化前の画像に比べて画像記憶部１６ｈに記憶された画像情報ＮＤの示す画像が変化している割合が、変化割合記憶部１６ｃに記憶された変化割合の閾値以上であると判断された場合には、ステップＳ９０２の処理に戻る。
【０１３１】
例えば、上記（３）動作モード設定において図７に示すような設定がなされている場合には、変化前画像記憶部１６ｉに記憶された変化前画像情報ＯＤの示す変化前の画像は、児童の姿がない託児所の監視エリア内を示す画像である（図１１（ｂ）参照）。
【０１３２】
そして、連続動作検出中フラグがオフのとき、ステップＳ９０６において画像記憶部１６ｈに記憶された画像情報ＮＤの示す画像が児童の姿のある託児所の監視エリア内を示す画像である場合には、ステップＳ９０８において監視エリア内の状態の変化が検知され、この託児所の監視エリア内に児童が居るという一連動作の開始が検知される。さらに、ステップＳ９１４においてこの一連動作は極短時間の変化ではないと判断されると、その後、託児所の監視エリア内に児童が居るという一連動作が継続されている場合には、ステップＳ９１６において連続動作検出中フラグがオンになった後、始めてステップＳ９２２の処理により画像記憶部１６ｈに記憶された画像情報ＮＤ１も、２回目のステップＳ９２２の処理により画像記憶部１６ｈに記憶された画像情報ＮＤ２も、３回目のステップＳ９２２の処理により画像記憶部１６ｈに記憶された画像情報ＮＤ３のいずれも、児童の姿がある託児所の監視エリア内の画像を示す（図１１（ａ）（ｂ）参照）。
【０１３３】
従って、変化前画像情報ＯＤの示す変化前の画像に比べて、画像情報ＮＤ１の示す画像が変化した割合も、画像情報ＮＤ２の示す画像が変化した割合も、画像情報ＮＤ３の示す画像が変化した割合も、変化割合の閾値２０％以上となる。その結果、託児所の監視エリア内に児童が居るという一連動作が継続される限りは、ステップＳ９２２→ステップＳ９２４→ステップＳ９０２→ステップＳ９０４→ステップＳ９２２というループで処理を繰り返し行うことなる。
【０１３４】
そして、ステップＳ９１６において連続動作検出中フラグがオンになった後、４回目のステップＳ９２２の処理により画像記憶部１６ｈに記憶された画像情報ＮＤ４が児童の姿がない託児所の監視エリア内の画像を示す場合には、変化前画像情報ＯＤの示す変化前の画像に比べて、画像情報ＮＤ４の示す画像が変化した割合は変化割合の閾値２０％未満となり、ステップＳ９２４→ステップＳ９２６と進む。
【０１３５】
つまり、託児所の監視エリア内に児童が居るという一連動作が終了するまでは、ステップＳ９２４→ステップＳ９２６と進むことがないので、ステップＳ９０２〜ステップＳ９２０までの処理がされることはなく、電子メールの送信（ステップＳ９２０）が禁止された状態となる。
【０１３６】
このため、託児所の監視エリア内に児童が居るという一連動作による同様な画像、即ち、図１１（ｂ）に示す画像情報ＮＤ１の示す画像、画像情報ＮＤ２の示す画像ならびに画像情報ＮＤ３の示す画像がそれぞれ添付された電子メールの送信が回避される。
【０１３７】
ステップＳ９２６においては、ステップＳ９２２の処理により画像記憶部１６ｈに記憶された画像情報ＮＤを変化前画像記憶部１６ｉに記憶する。つまり、ステップＳ９２４→ステップＳ９２６と進んだ場合には、ステップＳ９２２の処理により画像記憶部１６ｈに記憶された画像情報ＮＤが、これ以降の変化前の画像を示す変化前画像情報ＯＤとなり、変化前画像記憶部１６ｉに記憶される変化前の画像を示す変化前画像情報ＯＤの更新処理がなされる。
【０１３８】
例えば、図１１（ａ）（ｂ）に示す画像情報ＮＤ４がステップＳ９２２の処理により画像記憶部１６ｈに記憶された場合には、この画像情報ＮＤ４が変化前画像記憶部１６ｉに記憶されて、新たな変化前の画像を示す変化前画像情報ＯＤとなる。
【０１３９】
そして、ステップＳ９２６の処理に続いて、ステップＳ９２８においては、連続動作の検出中であるか否かを示すフラグである連続動作検出中フラグがオフされる。即ち、連続動作検出中フラグの値が０になる。そして、ステップＳ９２８を終了すると、ステップＳ９０２の処理に戻る。
【０１４０】
例えば、図１１（ａ）（ｂ）に示す場合に、ステップＳ９２２において児童の姿がない託児所の監視エリア内の画像を示す画像情報ＮＤ４が画像記憶部１６ｈに記憶され、ステップＳ９２４→ステップＳ９２６と進んで、変化前画像記憶部１６ｉの更新処理がなされると、託児所の監視エリア内に児童が居るという一連動作が終了したとして、連続動作検出中フラグがオフされる。
【０１４１】
（ＩＩ）監視システム１０の動作モードが時間設定画像転送モードである場合
ステップＳ９３０の処理においては、監視システム１０の動作モードがである場合に、送信時刻の設定がなされているか、あるいは、送信周期の設定がなされているかを判断する処理が行われる。具体的には、送信時刻記憶部１６ｄに送信時刻を示す送信時刻情報が記憶されているか、あるいは、送信周期記憶部１６ｅに送信周期を示す送信時刻情報が記憶されているかを判断する。
【０１４２】
そして、送信時刻記憶部１６ｄに送信時刻を示す送信時刻情報が記憶されている場合、即ち、上記（３）動作モード設定において定時送信欄６０ｂ−１が選択された場合には、送信時刻の設定がなされていると判断されて、ステップＳ９３２の処理に進む。一方、送信周期記憶部１６ｅに送信周期を示す送信時刻情報が記憶されている場合、即ち、上記（３）動作モード設定において時間送信欄６０ｂ−２が選択された場合には、送信周期の設定がなされていると判断されて、ステップＳ９３４の処理に進む。
【０１４３】
ステップＳ９３２の処理においては、監視システム１０の時計１８が示す現在時刻が、送信時刻記憶部１６ｄに記憶された送信時刻情報の示す送信時刻と一致したか否かを判断する処理が行われる。
【０１４４】
このステップＳ９３２における判断処理の結果、監視システム１０の時計１８が示す現在時刻が、送信時刻記憶部１６ｄに記憶された送信時刻情報の示す送信時刻と一致したと判断された場合には、ステップＳ９３６の処理へ進む。
【０１４５】
一方、ステップＳ９３２における判断処理の結果、監視システム１０の時計１８が示す現在時刻が、送信時刻記憶部１６ｄに記憶された送信時刻情報の示す送信時刻と一致していないと判断された場合には、ステップＳ９０２の処理へ戻る。
【０１４６】
ステップＳ９３４においては、送信周期記憶部１６ｅに記憶された送信周期情報の示す送信周期で時間を計測するタイマー２０が、送信周期に到達したか否かを判断する処理が行われる。
【０１４７】
このステップＳ９３４の判断処理の結果、タイマー２０が送信周期に到達したと判断された場合には、ステップＳ９３６の処理へ進む。一方、ステップＳ９３４の判断処理の結果、タイマー２０が送信周期に到達していないと判断された場合には、ステップＳ９０２の処理へ戻る。
【０１４８】
ステップＳ９３６の処理においては、電子メールの送信準備処理がなされる。この際、カメラ２２から出力された画像情報が画像記憶部１６ｈに記憶される。こうして画像記憶部１６ｈに記憶された画像情報ＮＤの示す画像の画像ファイルが生成される。そして、生成された画像ファイルは画像ファイル添付処理により電子メールに添付される。
【０１４９】
ステップＳ９３６の処理に続いて、ステップＳ９３８の処理においては、ステップＳ９３６において生成された画像ファイルを添付された電子メールが、監視システム１０の通信装置２４から送信される。この際、監視システム１０から送信された電子メールは、ネット・ワーク２００を介して、送信先記憶部１６ｇに記憶された送信先情報の示す送信先の端末１００へ送信される。従って、所定の時刻あるいは所定の周期で監視エリア内の画像が電子メールに添付されて端末１００に送信される。
【０１５０】
そして、送信先の端末１００においては、ネット・ワーク２００を介して監視システム１０から送信された電子メールを受信して、電子メールに添付された画像ファイルの示す画像を端末１００の表示装置１０２において視認することができる。
【０１５１】
（ＩＩＩ）監視システム１０の動作モードがリアルタイム画像転送モードである場合
ステップＳ９４０においては、監視システム１０の動作モードがリアルタイム画像転送モードである場合に、監視システム１０に端末１００からのアクセスがあるか否かを判断する処理が行われる。
【０１５２】
このステップＳ９４０の判断処理の結果、監視システム１０に端末１００からのアクセスがあると判断された場合には、ステップＳ９４２の処理へ進む。一方、ステップＳ９４０の判断処理の結果、監視システム１０に端末１００からのアクセスがないと判断された場合には、ステップＳ９０２の処理へ戻る。
【０１５３】
ステップＳ９４０の処理に続いて、ステップＳ９４２の処理においては、監視システム１０から暗証番号の入力の要求がネット・ワーク２００を介してアクセスしてきた端末１００に送信される。
【０１５４】
その結果、監視システム１０にアクセスした端末１００の表示装置１０２の画面には暗証番号入力ダイアログ４０（図５参照）が表示される。
【０１５５】
そして、端末１００の入力装置１０４やテンキー欄４０ｂにより暗証番号欄４０ａに数値を入力して表示させた後、ＯＫ欄４０ｃを端末１００の入力装置１０４により選択して、暗証番号欄４０ａにおいて設定された数値を確定し、確定した数値からなる暗証番号を示す暗証番号情報を、端末１００からネット・ワーク２００を介して監視システム１０に送信する。
【０１５６】
ステップＳ９４４においては、監視システム１０にアクセスしてきた端末１００の電話番号が、上記（３）動作モード設定によってＲＡＭ１６に記憶された電話番号情報の示す電話番号と一致するか否かを判断する処理と、端末１００から送信された暗証番号情報の示す暗証番号が、監視システム１０に端末１００と対応付けて記憶されていた暗証番号と一致するか否かを判断する処理が行われる。
【０１５７】
そして、ステップＳ９４４における判断処理の結果、監視システム１０にアクセスしてきた端末１００の電話番号が電話番号情報の示す電話番号と一致するとともに、端末１００から送信された暗証番号情報の示す暗証番号が記憶されていた暗証番号と一致したと判断された場合には、ステップＳ９４６の処理に進む。
【０１５８】
一方、ステップＳ９４４における判断処理の結果、監視システム１０にアクセスしてきた端末１００の電話番号が電話番号情報の示す電話番号と一致しない場合、端末１００から送信された暗証番号情報の示す暗証番号が記憶されていた暗証番号と一致しない場合、さらに電話番号も暗証番号も一致しない場合には、ステップＳ９０２の処理に戻る。
【０１５９】
ステップＳ９４４の処理を終了すると、ステップＳ９４６の処理に進み、監視システム１０から接続を終了するメッセージがネット・ワーク２００を介してアクセスしてきた端末１００に送信される。その後、ネット・ワーク２００を介した監視システム１０と端末１００との接続を切断する。
【０１６０】
そして、ステップＳ９４８の処理においては、電子メールの送信準備処理がなされる。この際、カメラ２２から出力された画像情報が画像記憶部１６ｈに記憶される。こうして画像記憶部１６ｈに記憶された画像情報ＮＤの示す画像の画像ファイルが生成される。そして、生成された画像ファイルは画像ファイル添付処理により電子メールに添付される。
【０１６１】
ステップＳ９４８の処理に続いて、ステップＳ９５０の処理においては、ステップＳ９４８において生成された画像ファイルを添付された電子メールが、監視システム１０の通信装置２４から送信される。この際、監視システム１０から送信された電子メールは、ネット・ワーク２００を介して、送信先記憶部１６ｇに記憶された送信先情報の示す送信先の端末１００へ送信される。従って、所定の端末１００が監視システム１０にアクセスすると、監視エリア内の画像が電子メールに添付されて端末１００に送信される。
【０１６２】
そして、送信先の端末１００においては、ネット・ワーク２００を介して監視システム１０から送信された電子メールを受信して、電子メールに添付された画像ファイルの示す画像を端末１００の表示装置１０２において視認することができる。
【０１６３】
上記したように本発明による監視システム１０によれば、動作モードが変化点画像転送モードのときには、監視エリア内の状態が変化した場合、しかもその状態変化が極短時間の変化ではない場合に、また、時間設定画像転送モードのときには、所定の時刻あるいは所定の周期で、そして、リアルタイム画像転送モードのときには、所定の端末１００が監視システム１０にアクセスすると、監視エリア内の画像が電子メールに添付されて送信先情報の示す送信先の端末１００へ送信される。
【０１６４】
従って、本発明による監視システム１０によれば、カメラが撮像した画像がＰＣなどの端末に常時送信されるようなことはなく、所定のエリアの画像を設定した所望のタイミングで設定した各種端末に送信することができる。
【０１６５】
例えば、送信先の端末１００として携帯電話やＰＤＡなどの携帯性の情報端末を設定した場合には、携帯電話などに所定のエリアの画像を任意の場所でしかもリアルタイムに提供することができる。
【０１６６】
なお、本発明による監視システム１０は、端末１００として携帯電話やＰＤＡなどを利用することができるので、視認専用の端末を必要としないため、安価に実施することができる。
【０１６７】
また、本発明により監視システム１０においては、電話番号や暗証番号で監視システム１０が端末１００を識別するようにしたので、セキュリティーの高いシステムになっている。
【０１６８】
なお、上記した実施の形態は、以下に示す（１）乃至（５）のように変形してもよい。
【０１６９】
（１）上記した実施の形態においては、ネット・ワーク２００はインター・ネット網としたが、これに限られるものではないことは勿論であり、インターネットとは異なる各種任意のネット・ワークを利用するようにしてもよい。また、画像の送信も、画像ファイルとして電子メールに添付した状態で送信するのに限られることなしに、画像のみを所定の形式で送信するようにしてもよい。
【０１７０】
（２）上記した実施の形態においては、監視システム１０の動作モードは、変化点画像転送モード、時間設定画像転送モードならびにリアルタイム画像転送モードの３つの動作モードとしたが、これに限られるものではないことは勿論であり、監視システム１０により監視を行うエリアに応じて、３つの動作モード全てを備えることなしに、任意の動作モード（例えば、変化点画像転送モードとリアルタイム画像転送モード）のみとしてしてもよい。このようにすると、監視システム１０の簡略化することができ、一層安価で処理の早いシステムとすることができる。
【０１７１】
（３）上記した実施の形態においては、リアルタイム画像転送モードの場合に、ネット・ワーク２００を介した監視システム１０と端末１００との接続を切断し（ステップＳ９４６）、その後電子メールを送信（ステップＳ９５０）するようにしたが、これに限られるものではないことは勿論であり、ネット・ワーク２００を介した監視システム１０と端末１００との接続を継続した状態で電子メールを送信するようにしてもよい。
【０１７２】
（４）上記した実施の形態においては、監視システム１０において監視処理ルーチン（図９参照）を実行するようにしたが、例えば、監視処理ルーチンを実行するプログラムや当該監視処理ルーチンを実行するプログラムを記憶したコンピュータ読み取り可能な記憶媒体として実施するようにしてもよい。この際、パーソナル・コンピュータとデジタルカメラなどの撮像手段とを用いるとよい。
【０１７３】
（５）上記した実施の形態ならびに上記した（１）乃至（４）に示す変形例は、適宜に組み合わせるようにしてもよい。
【０１７４】
【発明の効果】
本発明は、以上説明したように構成されているので、所定のエリアの画像を所定のタイミングで所定の端末に送信することが可能になるという優れた効果を奏する。
【０１７５】
また、所定のエリアの状態の変化が極短時間の変化である場合には画像の送信を行わないようにしたり、あるいは、所定エリアの状態の一連変化による同様な画像の送信が回避できるという優れた効果を奏する。
【０１７６】
さらに、所定のエリアの画像を所定のタイミングで携帯電話に送信することができるという優れた効果を奏する。
【図面の簡単な説明】
【図１】本発明による監視システムの実施の形態の一例の全体の構成を表すブロック構成図である。
【図２】本発明による監視システムの実施の形態の一例において送受信される各種情報を模式的に示した説明図である。
【図３】端末たる保護者のＰＤＡの表示装置たるタッチディスプレーにおける表示画面の遷移を模式的に示した説明図である。
【図４】端末の表示装置に表示される基本画面の一例を示す説明図である。
【図５】端末の表示装置に表示される暗証番号入力ダイアログの一例を示す説明図である。
【図６】端末の表示装置に表示される監視範囲設定画面の一例を示す説明図である。
【図７】端末の表示装置に表示されるモード設定画面の一例を示す説明図である。
【図８】端末の表示装置に表示される送信先設定画面の一例を示す説明図である。
【図９】監視処理ルーチンを示すフローチャートである。
【図１０】（ａ）は画像情報記憶部のデータ構造の一例を示す説明図であり、（ｂ）は変化前画像情報記憶部のデータ構造の一例を示す説明図であり、（ｃ）は検証画像情報記憶部のデータ構造の一例を示す説明図である。
【図１１】（ａ）は画像情報記憶部の画像情報と変化前画像情報記憶部の変化前画像情報との関係を示す説明図であり、（ｂ）は画像情報の示す画像と変化前画像情報の示す変化前の画像との関係を示す説明図である。
【符号の説明】
１０        監視システム
１２        中央処理装置（ＣＰＵ）
１１        本体操作部
１１ａ      表示装置
１１ｂ      入力装置
１４        リード・オンリ・メモリ（ＲＯＭ）
１６        ランダム・アクセス・メモリ（ＲＡＭ）
１６ａ      動作モード記憶部
１６ｂ      変化態様記憶部
１６ｃ      変化割合記憶部
１６ｄ      送信時刻記憶部
１６ｅ      送信周期記憶部
１６ｆ      電話番号記憶部
１６ｇ      送信先記憶部
１６ｈ      画像記憶部
１６ｉ      変化前画像記憶部
１６ｊ      検証画像記憶部
１８        時計
２０        タイマー
２２        カメラ
２４        通信装置
３０        基本画面
３０ａ      画像表示欄
３０ｂ      監視範囲設定欄
３０ｃ      モード設定欄
３０ｄ      ＳＴＡＲＴ欄
３０ｅ      ＳＴＯＰ欄
４０        暗証番号入力ダイアログ
４０ａ      暗証番号欄
４０ｂ      テンキー欄
４０ｃ      ＯＫ欄
４０ｄ      キャンセル欄
５０        監視範囲画面
５０ａ      範囲指定欄
５０ｂ      リセット欄
５０ｃ      戻る欄
５０ｄ      ＯＫ欄
５０ｅ      キャンセル欄
６０        モード設定画面
６０ａ      変化点画像転送モード欄
６０ａ−１  静→動欄
６０ａ−２  動→静欄
６０ａ−３  変化割合欄
６０ｂ      時間設定画像転送モード欄
６０ｂ−１  定時送信欄
６０ｂ−２  時間送信欄の
６０ｂ−３  送信時刻欄
６０ｂ−４  送信周期欄
６０ｃ      リアルタイム画像転送モード欄
６０ｄ      登録電話番号欄
６０ｅ      テンキー欄
６０ｆ      ＯＫ欄
６０ｇ      キャンセル欄
６０ｈ      送信先設定欄
７０        送信先設定画面
７０ａ      送信先一覧表欄
７０ａ−１  第１欄
７０ａ−２  第２欄
７０ａ−３  第３欄
７０ｂ      暗証番号設定欄
７０ｂ−１  旧暗証番号欄
７０ｂ−２  新暗証番号欄
７０ｂ−３  確認欄
７０ｃ      テンキー欄
７０ｄ      ＯＫ欄
７０ｅ      キャンセル欄
１００，１００−１〜１００−３    端末
１０２−１〜１０２−３    表示装置
１０４−１〜１０４−３    入力装置
２００        ネット・ワーク
【図１】
0003863762.tif 000002
【図２】
0003863762.tif 000003
【図３】
0003863762.tif 000004
【図４】
0003863762.tif 000005
【図５】
0003863762.tif 000006
【図６】
0003863762.tif 000007
【図７】
0003863762.tif 000008
【図８】
0003863762.tif 000009
【図９】
0003863762.tif 000010
【図１０】
0003863762.tif 000011
【図１１】
0003863762.tif 000012